(57)【要約】【課題】樹脂粘度の高低に関わらず逆流防止弁が交換時期に至ったことを的確に判定可能な射出成形機を提供する。【解決手段】コントローラ１の記憶部に、加熱シリンダ２１の先端部に貯えられる溶融樹脂の粘度と、当該溶融樹脂に、加熱シリンダ２１の内面とスクリュ２３の外面との間のクリアランスが適正な射出装置を用いて所定の射出圧力を付与するときの、バックフローを生じない射出速度の限界値との関係を記憶しておく。そして、オペレータの指示に応じて又は予め設定した所定のタイミングで自動的に、加熱シリンダ２１の先端部に貯えられた溶融樹脂の粘度測定と、射出速度の測定とを行い、これらの各測定値を前記記憶部に記憶された溶融樹脂の粘度及び射出速度の限界値と対比して、前記逆流防止弁が交換時期に至っているか否かを判定する。【選択図】図４
2015033793.tif 000002
【特許請求の範囲】
【請求項１】
加熱シリンダ内に回転可能かつ前後進可能に収納されたスクリュと、前記スクリュに取り付けられた逆流防止弁と、前記スクリュの駆動を制御するコントローラとを備え、前記スクリュを回転駆動して、前記加熱シリンダの先端部に所定量の溶融樹脂を貯える計量工程と、該計量工程の終了後に前記スクリュを前進駆動して、前記加熱シリンダの先端部に貯えられた溶融樹脂を金型のキャビティ内に射出する射出工程とを繰り返して、所定形状の成形品を連続的に製造するインラインスクリュ式の射出成形機において、
前記コントローラの記憶部には、前記加熱シリンダの先端部に貯えられる溶融樹脂の粘度と、当該加熱シリンダの先端部に貯えられた溶融樹脂に前記加熱シリンダの内面と前記スクリュの外面との間のクリアランスが適正な射出装置を用いて所定の圧力を付与したときの、バックフローを生じない前記スクリュの前進速度の限界値との相関が記憶され、
当該コントローラは、オペレータの指示に応じて又は予め設定した所定のタイミングで自動的に、前記加熱シリンダの先端部に貯えられた溶融樹脂の粘度測定と、射出速度の測定とを行い、これらの各測定値を前記記憶部に記憶された前記溶融樹脂の粘度及び前記スクリュの前進速度の限界値と対比して、前記逆流防止弁が交換時期に至っているか否かを判定することを特徴とする射出成形機。
【請求項２】
前記溶融樹脂の粘度測定は、計量動作の完了後にノズルバックを行って、前記加熱シリンダの先端部に備えられたノズルを金型から離隔し、この状態で前記スクリュを前進駆動して、前記加熱シリンダの先端部に貯えられた溶融樹脂の射出動作を行うことにより行うことを特徴とする請求項１に記載の射出成形機。
【請求項３】
前記射出速度の測定は、前記金型内に製品があり、かつ前記加熱シリンダの先端部に備えられたノズルを前記金型にノズルタッチした状態で実行することを特徴とする請求項１及び請求項２のいずれか１項に記載の射出成形機。
【請求項４】
前記コントローラは、前記逆流防止弁が交換時期に至っているか否かの判定結果を、表示装置の表示画面に表示することを特徴とする請求項１乃至請求項３のいずれか１項に記載の射出成形機。
【請求項５】
前記コントローラは、成形品を連続的に製造するための自動運転モードの実行プログラムと、前記逆流防止弁が交換時期に至っているか否かの判定を行うための検査モードの実行プログラムとを記憶部に記憶しており、前記自動運転モードの実行中にオペレータが入力装置を操作して前記検査モードへの移行を指示したとき、前記自動運転モードから前記検査モードへと移行して、前記逆流防止弁が交換時期に至っているか否かの判定を行うことを特徴とする請求項１乃至請求項４のいずれか１項に記載の射出成形機。
【請求項６】
前記コントローラは、成形品を連続的に製造するための自動運転モードの実行プログラムと、前記逆流防止弁が交換時期に至っているか否かの判定を行うための検査モードの実行プログラムと、前記検査モードの実行タイミングとを記憶部に記憶しており、前記記憶部に記憶された前記検査モードの実行タイミングに至ったとき、自動的に前記自動運転モードから前記検査モードに移行して、前記逆流防止弁が交換時期に至っているか否かの判定を行うことを特徴とする請求項１乃至請求項４のいずれか１項に記載の射出成形機。
【発明の詳細な説明】
【技術分野】
【０００１】
本発明は、インラインスクリュ式の射出成形機に係り、特に、スクリュに設けられる逆流防止弁の交換時期を自動的に判定する技術に関する。
【背景技術】
【０００２】
インラインスクリュ式の射出成形機のスクリュには、加熱シリンダ内に貯えられた溶融樹脂が射出時にスクリュヘッドの後方側に逆流するのを防止するための逆流防止弁が備えられるのが一般的である。
【０００３】
図９を用いてスクリュに備えられる逆流防止弁の働きを説明する。図９において、符号５１は加熱シリンダ、符号５２は加熱シリンダ５１内に回転可能かつ前後進可能に配設されたスクリュ、符号５７は逆流防止弁を示している。加熱シリンダ５１の外周には、図示しないバンドヒータが巻回され、加熱シリンダ５１内を所定の温度で加熱している。スクリュ５２は、外周にネジ部が形成されたスクリュ本体５３と、スクリュ本体５３の前端部に取り付けられたスクリュヘッド５４とからなる。また、逆流防止弁５７は、スクリュ本体５３とスクリュヘッド５４との間に遊挿され、加熱シリンダ５１の内周面に接した状態でスクリュ５２の軸方向に所定量だけ移動可能であると共に、スクリュ５２と一体に回転するチェックリング５５と、スクリュ本体５３の前端面とスクリュヘッド５４との間に挟持されたチェックシート５６とからなる。スクリュヘッド５４におけるチェックリング５５の遊挿部分には、溝状の樹脂通路５４ａが形成される。
【０００４】
図９に示す構成において、計量工程時、スクリュ５２は、図示しない計量用サーボモータの駆動力で所定方向に回転駆動される。これにより、スクリュ５２の後部側に供給されたペレット状の原料樹脂は、混練・可塑化されつつスクリュ５２のネジ送り作用によって前方に移送される。この際には、前方に移送される樹脂の圧力で、図９（ａ）に示すように、チェックリング５５はチェックシート５６から離間した状態となり、溶融樹脂は、チェックリング５５とチェックシート５６との間の隙間、及び、スクリュヘッド５４とチェックリング５５との間に形成された樹脂通路５４ａを通って、スクリュヘッド５４の前方側に送り込まれる。そして、スクリュ５２は、スクリュヘッド５４の前方側に送り込まれた溶融樹脂の圧力を受けて後退する。その際、スクリュ５２には、圧力フィードバック制御で駆動制御される図示しない射出用サーボモータの駆動力により所定の後退抵抗（背圧）が与えられ、これにより、スクリュヘッド５４の前方側に貯えられた溶融樹脂には所定の圧力が付与される。
【０００５】
計量工程の完了後は、射出工程に移行する。射出工程は、１次射出工程と保圧工程とからなる。１次射出工程では、速度フィードバック制御で駆動制御される射出用サーボモータの駆動力によってスクリュ５２が前進駆動され、計量工程でスクリュヘッド５４の前方側に貯えられた溶融樹脂が金型内に射出・充填される。このとき、チェックリング５５は、スクリュヘッド５４よりも前方に位置する溶融樹脂の射出動作に伴う圧力により後退し、図９（ｂ）に示すように、チェックシート５６に密着した状態となる。これにより、スクリュヘッド５４より後ろ側への溶融樹脂の逆流（バックフロー）が防止される。また、１次射出工程に続く保圧工程においては、スクリュ５２に、圧力フィードバック制御で駆動制御される射出用サーボモータの駆動力（保圧力）が付加される。これにより、金型内の樹脂の冷却収縮に応じた量の溶融樹脂が金型内に補充される。この保圧工程においても、チェックリング５５は後退方向の圧力を受けており、チェックリング５５は、チェックシート５６に密着した状態に維持される。
【０００６】
ところで、チェックリング５５は、射出成形機の稼働に伴って経時的に摩耗が進行する。そして、摩耗がある程度まで進行すると、加熱シリンダ５１の内面とチェックリング５５の間のクリアランスが過大となって、充填中にバックフローが生じるようになる。バックフローが生じても、その程度が小さい場合には、成形品の外観に反映されないことが多いため、オペレータはバックフローを生じていることに気が付きにくく、成形品にショートショットを生じる程度までバックフロー量が多くなって、始めてオペレータが気が付くことも稀ではない。
【０００７】
本願の出願人は、先に、このような問題を防止するため、保圧工程における実測射出速度データを監視し、この実測射出速度データが概略一定速度を保つ時間が所定時間を超えると、逆流防止弁にバックフローが生じていると判定して、逆流防止弁が交換時期に至った旨を表示画面に自動的に表示する射出成形機を提案した（例えば、特許文献１の要約書参照。）。この発明によれば、逆流防止弁が交換時期に至ったことをオペレータに報知できるので、品質不足の成形品の製造を未然に防止できると共に、無駄な逆流防止弁の交換を防止できて、射出成形機の稼働率を高めることができる。
【先行技術文献】
【特許文献】
【０００８】
【特許文献１】特許第５１９９６３９号公報
【発明の概要】
【発明が解決しようとする課題】
【０００９】
しかしながら、特許文献１に記載の発明は、保圧工程中の実測射出速度データを監視することによりバックフローの有無を判定する構成であるので、樹脂粘度が中程度以上の樹脂材料についてはバックフローの有無を的確に判定できるものの、樹脂粘度が低い樹脂材料については、もともと逆流防止弁の摩耗が軽微である段階においてもバックフローを生じやすいことから、逆流防止弁の交換時期を的確に判定することが困難であることが判明した。
【００１０】
本発明は、このような従来技術の問題点に鑑みてなされたものであり、その目的とするところは、樹脂粘度の高低に関わらず逆流防止弁が交換時期に至ったことを的確に判定可能な射出成形機を提供することにある。
【課題を解決するための手段】
【００１１】
本発明は、上述の目的を達成するため、加熱シリンダ内に回転可能かつ前後進可能に収納されたスクリュと、前記スクリュに取り付けられた逆流防止弁と、前記スクリュの駆動を制御するコントローラとを備え、前記スクリュを回転駆動して、前記加熱シリンダの先端部に所定量の溶融樹脂を貯える計量工程と、該計量工程の終了後に前記スクリュを前進駆動して、前記加熱シリンダの先端部に貯えられた溶融樹脂を金型のキャビティ内に射出する射出工程とを繰り返して、所定形状の成形品を連続的に製造するインラインスクリュ式の射出成形機において、前記コントローラの記憶部には、前記加熱シリンダの先端部に貯えられる溶融樹脂の粘度と、当該加熱シリンダの先端部に貯えられた溶融樹脂に前記加熱シリンダの内面と前記スクリュの外面との間のクリアランスが適正な射出装置を用いて所定の圧力を付与したときの、バックフローを生じない前記スクリュの前進速度の限界値との相関が記憶され、当該コントローラは、オペレータの指示に応じて又は予め設定した所定のタイミングで自動的に、前記加熱シリンダの先端部に貯えられた溶融樹脂の粘度測定と、射出速度の測定とを行い、これらの各測定値を前記記憶部に記憶された前記溶融樹脂の粘度及び前記スクリュの前進速度の限界値と対比して、前記逆流防止弁が交換時期に至っているか否かを判定するという構成にした。
【００１２】
成形品の製造には、溶融時の粘度が異なる様々な樹脂材料が使用される。そして、射出成形機の運転開始に際しては、使用する樹脂材料に適合する計量条件及び射出条件が射出成形機に設定され、成形品を連続的に製造するための自動運転が実行される。射出成形機の自動運転は、樹脂材料の計量工程と、計量工程で可塑化された溶融樹脂の射出工程とを繰り返すことにより行われる。ところで、自動運転を長期間に亘って実行すると、逆流防止弁が摩耗し、加熱シリンダの内面と逆流防止弁の外面との間のクリアランスが経時的に大きくなる。そのため、１次射出時の射出圧及び保圧時の保圧力を受けたときに、加熱シリンダ内の溶融樹脂が逆流防止弁を超えて加熱シリンダの末端側に逆流しやすくなる。この現象をバックフローという。バックフローが発生すると、成形品にひけや重量不足等の成形不良が生じて良品の歩留まりが低下するので、速やかに逆流防止弁を新しいものに交換して、加熱シリンダの内面と逆流防止弁の外面との間のクリアランスを適正化する必要がある。このためには、バックフローの発生を随時的確に検出して、オペレータに逆流防止弁が交換時期に至ったことを報知できるようにすることが望ましい。
【００１３】
バックフローは、スクリュの前進駆動中に発生するが、１次射出工程においては、スクリュが速度フィードバック制御で駆動されるので、バックフローが発生してか否かに関わりなく、スクリュの前進速度は予め設定された速度制御パターンに倣う。これに対して、保圧工程においては、金型のキャビティ内に製品が存在し、かつスクリュが圧力フィードバック制御で駆動されるので、バックフローが発生していない場合にはスクリュがほとんど前進せず、バックフローが発生した場合には、バックフロー量に応じた速度でスクリュが前進動作する。このように、保圧力を一定とした場合、バックフローが発生した場合には、バックフローが発生していない場合よりも、スクリュの前進速度が早くなる。したがって、保圧力に相当する所定の圧力を付与した状態におけるスクリュの前進速度を監視することにより、バックフローの発生の有無を検出することができる。なお、加熱シリンダの内面と逆流防止弁の外面との間のクリアランスが一定であっても、射出時における溶融樹脂の粘度が低いほど、バックフローが生じやすい。したがって、バックフローの発生を的確に検出するためには、成形品の製造に使用している樹脂材料の射出時における粘度を考慮する必要がある。
【００１４】
請求項１に係る発明は、コントローラの記憶部に、加熱シリンダ内に貯えられる溶融樹脂の粘度と、バックフローを生じないスクリュの前進速度の限界値との関係を予め記憶しておき、加熱シリンダの先端部に貯えられる溶融樹脂の粘度測定と、射出動作中におけるスクリュの前進速度の測定とを随時行って、各測定値を各記録値と対比するので、溶融樹脂の粘度に関わりなく、バックフローが生じているか否か、ひいては、逆流防止弁が交換時期に至っているか否かを適切に判定できる。具体的には、測定されたスクリュの前進速度が、測定された溶融樹脂の粘度に対応して記憶されたスクリュの前進速度の限界値を超えている場合には、バックフローが生じていると判断して、オペレータに逆流防止弁の交換を促すことができる。
【００１５】
なお、加熱シリンダ内に貯えられる溶融樹脂の粘度は、射出成形機で使用される各種の樹脂材料について既知であるか、実験により求めることができる。また、バックフローを生じないスクリュの前進速度の限界値は、加熱シリンダの内面と逆流防止弁の外面との間のクリアランスが出荷時の許容値内に調整された射出装置を用い、かつ、射出圧力を一定値として射出動作を実行することにより、粘度が異なる各種の樹脂材料について実験的に求められる。したがって、コントローラの記憶部に、溶融樹脂の粘度とバックフローを生じないスクリュの前進速度の限界値とを関連付けて記憶することができる。一方、実機を用いた溶融樹脂の粘度測定は、特許第３７３２８２１号公報に記載の方法で行うことができ、自動運転実行中のスクリュの前進速度は、射出成形機の各部に備えられたセンサの出力信号から算出できる。
【００１６】
また本発明は、前記構成の射出成形機において、前記溶融樹脂の粘度測定は、計量動作の完了後にノズルバックを行って、前記加熱シリンダの先端部に備えられたノズルを金型から離隔し、この状態で前記スクリュを前進駆動して、前記加熱シリンダの先端部に貯えられた溶融樹脂の射出動作を行うという構成にした。
【００１７】
溶融樹脂の粘度測定は、特許文献１に記載の方法によって行うことができる。この特許文献１に記載の方法は、射出動作中の射出速度が一定のときの射出圧力値から樹脂粘度を算出するというものである。したがって、射出ノズルを金型にタッチした状態でも、射出動作中の射出速度が一定である限りは樹脂粘度の算出が可能であるが、射出ノズルを金型にタッチした状態では、金型のキャビティ形状などにより射出圧力が変動しやすくなる。そこで、射出ノズルを金型から離隔したノズルバック状態で樹脂粘度の算出を行えば、キャビティ形状などの影響を回避することができて、樹脂粘度の算出を容易かつ高精度に行うことができる。
【００１８】
また本発明は、前記構成の射出成形機において、前記射出速度の測定は、前記金型内に製品があり、かつ前記加熱シリンダの先端部に備えられたノズルを前記金型にノズルタッチした状態で実行するという構成にした。
【００１９】
従来、射出成形機においては、射出工程中のスクリュの前進速度、即ち、射出速度を測定し、その測定結果に基づいて射出用サーボモータの駆動制御を行っている。したがって、上記の構成によれば、バックフローを検出するために特別な方法で射出速度を測定する必要がないので、逆流防止弁の交換時期の判定を簡便に行うことができる。
【００２０】
また本発明は、前記構成の射出成形機において、前記コントローラは、前記逆流防止弁が交換時期に至っているか否かの判定結果を、表示装置の表示画面に表示するという構成にした。
【００２１】
かかる構成によると、オペレータに逆流防止弁の交換時期を目視可能な方法で報知できるので、オペレータが逆流防止弁の交換時期を見逃しにくく、逆流防止弁の交換を適切に行うことができる。
【００２２】
また本発明は、前記構成の射出成形機において、前記コントローラは、成形品を連続的に製造するための自動運転モードの実行プログラムと、前記逆流防止弁が交換時期に至っているか否かの判定を行うための検査モードの実行プログラムとを記憶部に記憶しており、前記自動運転モードの実行中にオペレータが入力装置を操作して前記検査モードへの移行を指示したとき、前記自動運転モードから前記検査モードへと移行して、前記逆流防止弁が交換時期に至っているか否かの判定を行うという構成にした。
【００２３】
かかる構成によると、オペレータの指示に応じて逆流防止弁が交換時期に至っているか否かの検査を随時行うことができるので、予め定められた時期ごとに定期検査を行う場合に比べて、射出成形機の稼働状況に応じたきめの細かい検査が可能になり、逆流防止弁の交換時期を適切に判定することができる。
【００２４】
また本発明は、前記構成の射出成形機において、前記コントローラは、成形品を連続的に製造するための自動運転モードの実行プログラムと、前記逆流防止弁が交換時期に至っているか否かの判定を行うための検査モードの実行プログラムと、前記検査モードの実行タイミングとを記憶部に記憶しており、前記記憶部に記憶された前記検査モードの実行タイミングに至ったとき、自動的に前記自動運転モードから前記検査モードに移行して、前記逆流防止弁が交換時期に至っているか否かの判定を行うという構成にした。
【００２５】
かかる構成によると、逆流防止弁が交換時期に至っているか否かの検査をコントローラが自動的に行うので、オペレータの指示による場合とは異なり検査時期を忘れるということがなく、逆流防止弁が交換時期を確実に判定できる。
【発明の効果】
【００２６】
本発明の射出成形機は、コントローラが、オペレータの指示に応じて又は所定のタイミングで自動的に、加熱シリンダ内に貯えられた溶融樹脂の粘度測定とスクリュの前進速度の測定とを行って、逆流防止弁が交換時期に至っているか否かの判定を行うので、溶融樹脂の粘度に関わりなく、逆流防止弁が交換時期に至っているか否かの判定を適切に行うことができる。
【図面の簡単な説明】
【００２７】
【図１】実施形態に係る射出成形機の計量系及び射出系の構成を模式的に示す説明図である。
【図２】実施形態に係る射出成形機に備えられるシステムコントローラのブロック構成図である。
【図３】逆流防止弁の交換時期の判定テーブルを示す図である。
【図４】逆流防止弁の交換時期の判定処理手順を示すフローチャートである。
【図５】バックフローありと判定された場合における表示装置の表示内容を例示する図である。
【図６】樹脂粘度と剪断速度との関係を示すグラフ図である。
【図７】実施形態に係る射出成形機に備えられる加熱シリンダの要部断面図である。
【図８】バンドヒータの設定温度と樹脂粘度との関係の一例を示す表図である。
【図９】逆流防止弁の動作説明図である。
【発明を実施するための形態】
【００２８】
以下、本発明に係るインラインスクリュ式の射出成形機の実施の形態を、図を用いて説明する。なお、本発明の技術的特徴は、以下に記載する実施の形態に限定されるものではなく、本発明の要旨を逸脱しない範囲で適宜変更を加えることができる。
【００２９】
図１に、本発明に係るインラインスクリュ式の射出成形機の計量系及び射出系の構成を模式的に示す。この図において、３１は計量用サーボモータ、３１ａは計量用サーボモータ３１の出力プーリ、３２は出力プーリ３１ａの回転をスクリュ２３の後端に結合されたプーリ３３に伝達するタイミングベルト、３４は射出用サーボモータ、３４ａは射出用サーボモータ３４の出力プーリ、３５は出力プーリ３４ａの回転を回転→直線運動変換メカニズム３６のプーリ３６ａに伝達するタイミングベルト、３６は回転運動を直線運動に変換してスクリュ２３に伝達するためのボールネジ機構等よりなる回転→直線運動変換メカニズム、３７は計量用サーボモータ３１の回転を検出するエンコーダ、３８はスクリュ２３にかかる圧力を検出する（実測射出圧力値を検出する）ロードセル、３９は射出用サーボモータ３４の回転を検出するエンコーダである。なお、計量用サーボモータ３１及びタイミングベルト３２は、加熱シリンダ２１内に回転可能かつ前後進可能に収納されたスクリュ２３と一体となって前後進するようになっている。スクリュ２３の先端部寄りには、逆流防止弁２４が取り付けられている。
【００３０】
また、４１はスクリュ回転数フィードバック制御部、４２は速度フィードバック制御部、４３は圧力フィードバック制御部、４４は速度フィードバック制御部４２の出力と圧力フィードバック制御部４３の出力の切り替えを行うスイッチ部で、これらフィードバック制御部４１〜４３及びスイッチ部４４は、図２の運転プロセス制御部４中に設けられる。また、４５は計量用サーボモータ３１を駆動制御するサーボアンプ、４６は射出用サーボモータ３４を駆動制御するサーボアンプで、これらの各サーボアンプ４５、４６は、図２のドライバ群１４中に設けられる。
【００３１】
計量工程時には、計量工程の指令値を受けるスクリュ回転数フィードバック制御部４１によってサーボアンプ４５を介して計量用サーボモータ３１が駆動制御されて、スクリュ２３が回転し、スクリュ２３の先端側に溶融樹脂が蓄えられるに従って、スクリュ２３が後退する。このとき、スクリュ回転数フィードバック制御部４１は、エンコーダ３９の出力Ａ３から得られる実測スクリュ位置を監視すると共に、設定スクリュ回転数データと、エンコーダ３７の出力Ａ１から得られる実測スクリュ回転数データとを対比し、計量開始位置からスクリュ２３が所定の後退位置に至るまでの区間を、設定されたスクリュ回転数となるように制御信号を生成して、これをサーボアンプ４５に出力し、計量用サーボモータ３１を駆動制御する。また、計量工程時には、計量工程の指令値を受ける圧力フィードバック制御部４３によって、サーボアンプ４６を介して圧力フィードバック制御により射出用サーボモータ３４が駆動制御されて、これにより、設定された樹脂圧力となるようにスクリュ２３に背圧が付与される。このとき、圧力フィードバック制御部４３は、エンコーダ３９の出力Ａ３から得られる実測スクリュ位置を監視すると共に、設定圧力データと、ロードセル３８の出力Ａ２から得られる実測圧力データとを対比して、計量開始位置からのスクリュ後退位置に対応して設定された樹脂圧力となるように制御信号を生成して、これをサーボアンプ４６に出力し、射出用サーボモータ３４を駆動制御する。
【００３２】
また、射出工程の１次射出工程を速度フィードバック制御で行う場合には、１次射出工程の指令値を受ける速度フィードバック制御部４２によって、サーボアンプ４６を介して速度フィードバック制御により射出用サーボモータ３４が駆動制御されて、これにより、設定された射出速度となるようにスクリュ２３の前進速度が制御される。このとき、速度フィードバック制御部４２は、エンコーダ３９の出力Ａ３から得られる実測スクリュ位置を監視すると共に、位置に応じて設定された設定速度データと、エンコーダ３９の出力Ａ３から得られる位置データを算出して得られる実測速度データとを対比して、射出開始位置からスクリュ前進位置に対応して設定された射出速度となるように制御信号を生成して、これをサーボアンプ４６に出力し、射出用サーボモータ３４を駆動制御する。
【００３３】
なお、図１の計量系及び射出系は、図示しない金型装置に対してノズルタッチ位置又はノズルバック位置に移動できるようになっており、後に説明する樹脂粘度の計測モードでは、図１の計量系及び射出系をノズルバック位置に移動して、フリー射出を行う。また、計量工程及び実測速度の計測モードでは、図１の計量系及び射出系をノズルタッチ位置に移動し、金型内に製品がある状態で、所要の計量動作及び射出動作を行う。また、射出圧力値（実測射出圧力値）の計測は、ロードセル３８で実測することもできるし、射出用サーボモータ３４の実測駆動電流値から得られるトルク値から算出することもできる。
【００３４】
図２に実施形態に係る射出成形機に備えられるシステムコントローラ１の構成を示す。射出成形機のシステムコントローラ１は、射出成形機全体の制御を司るものであり、計量動作、サックバック動作、射出（１次射出及び保圧）動作、型開閉動作、エジェクト動作等の成形行程全体の制御や、成形運転中の実測データの演算・格納処理、良品／不良品の判定処理、異常判定処理、溶融樹脂粘度の演算・格納処理などの演算・判定処理、あるいは、表示装置３の出力画像の表示制御処理等々の各種処理を実行する。このシステムコントローラ１は、実際には、各種Ｉ／Ｏインターフェイス、ＲＯＭ、ＲＡＭ、ＣＰＵ等を具備したもので構成され、予め作成された各種プログラムにより各種処理を実行する。本例においては、システムコントローラ１が、運転条件設定格納部２、測定値格納部３、運転プロセス制御部４、バックフロー判定部５、樹脂粘度算出部６、計測樹脂粘度記憶部７及び表示処理部８を含んで構成されている。
【００３５】
また、このシステムコントローラ１には、外部装置として、オペレータにより操作されるキーボード入力装置等の入力装置１１と、オペレータに各種の画像データを表示するカラー液晶表示装置等の表示装置１２と、射出成形機の各部に配設された各種のセンサで構成されるセンサ群１３と、射出成形機の各部に配置されたモータやヒータなどのアクチュエータを駆動する各種のドライバで構成されるドライバ群１４が接続されている。なお、入力装置１１及び表示装置１２については、システムコントローラ１に外付けする構成に代えて、システムコントローラ１に内蔵する構成とすることもできる。センサ群１３を構成するセンサとしては、位置センサ、速度センサ、圧力センサ、回転量検出センサ、温度センサなどがある。また、ドライバ群１４を構成するドライバとしては、計量用サーボモータや射出用サーボモータなどのモータを駆動するモータドライバや、加熱シリンダの外面に巻回されるバンドヒータを駆動するヒータドライバなどがある。
【００３６】
運転条件設定格納部２には、各運転モードにおける運転制御条件が書き換え可能に格納されている。運転条件設定格納部２への運転制御条件の入力は、入力装置１１や図示しないメモリカード等を用いて行うことができる。本例の射出成形機においては、運転モードとして、成形品を自動的かつ連続的に生産する自動運転モードと、後述する逆流防止弁の交換時期判定モードとが少なくとも記憶されている。運転モードは、適宜切り替え可能である。他の運転モードから逆流防止弁の交換時期判定モードへの切替は、オペレータの指示により行うようにすることもできるし、運転条件設定格納部２に切り替え時期を設定しておくことにより自動的に行うようにすることもできる。逆流防止弁の交換時期判定モードへの切替をオペレータの指示により行うようにすると、自動運転中の任意のタイミングで逆流防止弁が交換時期に達したか否かを判定できるので、不良品の発生を防止又は最小限に抑えることができる。一方、逆流防止弁の交換時期判定モードへの切替をシステムコントローラ１の指示で自動的に行うようにすると、オペレータの不注意等によって交換時期の判定を怠るということがないので、逆流防止弁の交換時期の判定を確実に行うことができる。このように、射出成形機の運転モードを適宜逆流防止弁の交換時期判定モードに切り替えることにより、スクリュ２３を分解することなく、成形不良の原因が逆流防止弁２４の摩耗によるバックフローに起因するものであるか否かを判断できる。
【００３７】
この運転条件設定格納部２には、図３に示すように、計量工程において加熱シリンダ２１内に貯えられる溶融樹脂の粘度と、加熱シリンダ２１内に貯えられた当該溶融樹脂をバックフローが生じない所定の射出圧力で射出するときの、スクリュの前進速度の限界値との関係も併せて格納されている。
【００３８】
成形品の製造に一般的に用いられる樹脂材料については、計量工程において加熱シリンダ内に貯えられる溶融樹脂の粘度は既知である。また、既知でない樹脂材料についても、キャピラリレオメータやメルトインデキクタなどの樹脂粘度計測器を用いて計測できるし、特許第３７３２８２１号公報に記載の方法によっても計測することができる。図３の例では、溶融樹脂の粘度が、１〜２０Ｐａ・ｓｅｃ、２１〜５０Ｐａ・ｓｅｃ、５１〜７５Ｐａ・ｓｅｃ、７６〜１００Ｐａ・ｓｅｃ、１０１Ｐａ・ｓｅｃ以上の５段階に区分されている。
【００３９】
一方、所定の射出圧力で加熱シリンダ内に貯えられた溶融樹脂を射出するときのバックフローを生じないスクリュの前進速度の限界値は、加熱シリンダの内面と逆流防止弁の外面との間のクリアランスが、逆流防止弁の交換が必要となる以前の適正値に調整された射出装置、例えば出荷時の射出装置を用いることにより求められる。本例においては、図２に示すように、射出圧力を１００ＭＰａとしてバックフローを生じないスクリュの前進速度の限界値を求め、溶融樹脂の粘度が１〜２０Ｐａ・ｓの樹脂材料については０．５ｍｍ／ｓｅｃ、２１〜５０Ｐａ・ｓｅｃの樹脂材料については０．４ｍｍ／ｓｅｃ、５１〜７５Ｐａ・ｓｅｃの樹脂材料については０．３ｍｍ／ｓｅｃ、７６〜１００Ｐａ・ｓｅｃの樹脂材料については０．２ｍｍ／ｓｅｃ、１０１Ｐａ・ｓｅｃ以上の樹脂材料については０．１ｍｍ／ｓｅｃを得た。
【００４０】
測定値格納部３には、センサ群１３により検出された射出成形機の各部の計測情報（位置情報、速度情報、圧力情報、回転角情報、回転速度情報、温度情報など）がリアルタイムで取り込まれて格納される。この測定値格納部３に取り込まれて格納される計測情報には、射出工程（１次射出工程及び保圧工程）における実測射出速度データ、実測射出圧力データが含まれている。なお、実測射出速度データは、図示しない射出用サーボモータに付設されたエンコーダの計測情報と時間情報とに基づいて求められ、測定値格納部３に格納される。また、実測圧力データは、スクリュの後方側に取り付けられた図示しないロードセルによって測定され、測定値格納部３に格納される。
【００４１】
運転プロセス制御部４には、運転モード毎に予め用意された各工程の運転制御プログラムが記憶されている。そして、この運転プロセス制御部４は、この予め用意された運転制御プログラムと、運転条件設定格納部２に格納された各工程の運転条件の設定値とに基づき、かつ測定値格納部３中の計測情報や各部からの状態確認情報や自身の計時情報を参照してドライバ群１４を駆動制御し、射出成形機に各運転モードに即した各工程の運転を実行させる。
【００４２】
本例の射出成形機には、図４に示す逆流防止弁の交換時期判定手順が、運転制御プログラムとして運転プロセス制御部４に記憶されている。図４に示すように、本例の逆流防止弁の交換時期判定手順は、手順Ｓ１で逆流防止弁の交換時期判定モードへの切替が指示されたと判定したとき（Ｙｅｓ）、計量工程（手順Ｓ２）とノズルバック動作（手順Ｓ３）をこの順に実施した後、手順Ｓ４に移行して樹脂粘度の計測を行う。手順Ｓ１の交換時期判定モードへの切替指示は、オペレータが入力装置１１を操作することにより行うこともできるし、運転条件設定格納部２に予め交換時期判定モードへの切替時期を設定しておくことにより行うこともできる。手順Ｓ２の計量工程は、正確な計量を行うため、自動運転中の計量工程と同様に、金型内に製品がありかつノズルタッチした状態で行われる。手順Ｓ３のノズルバック動作は、手順Ｓ４の樹脂粘度計測を、金型のキャビティ形状等の影響を受けることなく容易かつ高精度に実施するために行う。手順Ｓ４の樹脂粘度計測の具体的な方法に関しては、後に詳細に説明する。
【００４３】
樹脂粘度の計測後は、ノズルタッチ動作（手順Ｓ５）と計量工程（手順Ｓ６）をこの順に実施した後、手順Ｓ７に移行して射出速度の計測を行う。手順Ｓ５のノズルタッチ動作は、手順Ｓ６の計量工程を自動運転モード時に即して正確に行うために実施する。手順Ｓ７の射出速度の計測は、スクリュ２３の位置を検出する位置センサの出力変化を時間で微分することにより求められる。
【００４４】
次いで、手順Ｓ８に移行して、計測された樹脂粘度と射出速度を図３に示した判定テーブルと対比し、計測された射出速度が、計測された樹脂粘度に対応して設定された射出速度の限界値以下であるか否か判定する。手順Ｓ８において、計測された射出速度はバックフローを生じない射出速度の限界値以下であると判定した場合（Ｙｅｓ）は、手順Ｓ９に進んで、自動運転を再開する。これに対して、計測された射出速度はバックフローを生じない射出速度の限界値を超えていると判定した場合（Ｎｏ）は、手順Ｓ１０に進んで、逆流防止弁が交換時期に達している旨を表示装置に表示して、オペレータに報知する。
【００４５】
樹脂粘度算出部６は、射出速度が一定であるときの実測射出圧力値（センサ群１３中の射出圧力計測用センサの計測値）に基づいて樹脂粘度の算出を行う。射出速度が一定であるときの実測射出圧力値は、後述する樹脂粘度計測モードのように、加熱シリンダの先端部に備えられた射出ノズルを金型装置からノズルバックした状態で、加熱シリンダ内に貯えられた溶融樹脂をフリー射出することにより求められる。また、他の方法としては、射出ノズルを金型装置にノズルタッチした状態で金型内に実際に樹脂を射出し、射出速度が一定であることが保証されているストローク範囲（あるいは時間内）における実測射出圧力値を選択することによっても求められる。
【００４６】
計測樹脂粘度記憶部７は、樹脂粘度算出部６が算出した樹脂粘度（計測樹脂粘度）を、樹脂材料名、樹脂材料製造メーカ名、樹脂材料品種番号、ロット番号などの入力装置１１からのオペレータによる入力情報や、樹脂粘度計測時におけるバンドヒータの設定温度条件や、計測日時等々と対応付けて、適宜の格納テーブルの形式で記憶する。
【００４７】
バックフロー判定部５は、運転条件設定格納部２に格納された図３の判定テーブルと、測定値格納部３に格納されたスクリュ２３の実測速度（射出速度）及び計測樹脂粘度記憶部７に記憶された計測樹脂粘度とを対比し、スクリュ２３の実測速度が、計測樹脂粘度に相当する樹脂粘度について設定された射出速度を超えているか否かを判定する。例えば、ポリアミド樹脂を用いて射出成形を行い、計測樹脂粘度が２５Ｐａ・ｓｅｃであった場合には、図３の判定テーブルに記録された２１〜５０Ｐａ・ｓｅｃに対応して設定された射出速度の限界値０．４ｍｍ／ｓｅｃとスクリュ２３の実測速度とを対比し、スクリュ２３の実測速度が例えば０．３５ｍｍ／ｓｅｃである場合には、「バックフローなし」と判定し、スクリュ２３の実測速度が例えば０．４５ｍｍ／ｓｅｃである場合には、「バックフローあり」と判定する。バックフローありと判定された場合には、逆流防止弁が交換時期に至っている。
【００４８】
表示処理部８は、オペレータが入力装置１１を操作することによって行われる所望表示画像の呼び出し指令に応じ、予め作成された表示画像作成・制御プロラムに基づいて、指定された表示モードの表示画像データを作成する。作成された画像データは、図示しないフレームバッファに転送されて一時記憶され、表示処理部８の指令によってこのフレームバッファの出力が表示装置１２に送出されて、表示装置１２の表示画面上に画像データが表示される。バックフロー判定部５によって「バックフローあり」と判定された場合、表示装置１２の表示画面１２ａには、図５に例示するように、「バックフローが発生しています。逆流防止弁の交換時期です。」等の表示画像データが表示される。これに見ることより、オペレータは、逆流防止弁２４が交換時期に至ったことを認識できるので、速やかに逆流防止弁２４の交換作業に取りかかることができ、不良品の発生を防止又は最小限に抑制することができる。また、逆流防止弁２４を適切なタイミングで交換できるので、無駄な交換作業の実施を回避することができ、射出成形機の稼働率を高めることができる。
【００４９】
以下、図４の手順Ｓ４に示した樹脂粘度計測の具体的な手法について説明する。
【００５０】
計量工程で加熱シリンダ内に貯えられる溶融樹脂の粘度をη（Ｐａ・ｓｅｃ）、射出工程で溶融樹脂に作用する剪断応力をτ（Ｐａ）、射出工程における溶融樹脂の剪断速度（インラインスクリュ式の射出成形機においてはスクリュの前進速度で示される射出速度に相当）をγ（ｓｅｃ−１）としたとき、剪断応力τは、樹脂粘度η及び剪断速度γを用いて、下記の（１）式で表される。
【００５１】
τ＝η×γ      ……（１）式
ここで、（１）式中の剪断速度γと溶融樹脂の粘度ηの間には、図６に示すような関係があることが確認されている。即ち、図６から明らかなように、剪断速度γが１０１〜１０５の範囲内にある場合には、剪断速度γの変化に伴って粘度ηも変化するが、剪断速度γが１０１未満の場合、及び、１０５を超える場合には、剪断速度γの変化の如何にかかわらず、粘度ηはほぼ一定の値を示す。したがって、剪断速度（射出速度）が１０１〜１０５の範囲内で所定の一定値を保っているときには、（１）式から溶融樹脂の粘度を算出することが可能となる。例えば、射出速度１０ｍｍ／ｓｅｃより得られる剪断速度γは、射出成形機のサイズに関係なく、概ねγ＝１０３〜１０４程度の値となって、上述した粘度の算出条件を良好に満たすものとなる。一方、射出速度１００ｍｍ／ｓｅｃより得られる剪断速度γは、１００トン以上の射出成形機ではγ＝１０５近傍の値を示すこともあり、適切な速度設定のパラメータではなくなる。よって、本発明では、射出速度が５〜５０ｍｍ／ｓｅｃの範囲内のある一定値を保つように制御して、上述した粘度の算出条件を良好に満たす範囲において、樹脂粘度の計測を行うようにしている。
【００５２】
インラインスクリュ式の射出成形機において剪断応力τ及び剪断速度γは、ＪＩＳ  Ｋ７１９９により、射出圧力をＰ（Ｐａ）、ノズル孔の直径をｒ（ｍｍ）、ノズルのランド長をＬ（ｍｍ）、流量をＱ（ｍｍ３／ｓｅｃ）としたとき、下記の（２）式及び（３）式でそれぞれ表される。
【００５３】
τ＝（Ｐ×ｒ）／（４×Ｌ）         ……（２）式
γ＝（３２×Ｑ）／（π×ｒ３）      ……（３）式
ここで、流量Ｑは、スクリュ断面積をＡ（ｍｍ２）、射出速度（スクリュの前進速度）をＶ（ｍｍ／ｓｅｃ）とすると、
Ｑ＝Ａ×Ｖ      ……（４）式
で表されるから、スクリュの直径をＤとすると、（４）式は、
Ｑ＝（π×Ｄ２×Ｖ）／４      ……（５）式
で表され、（５）式を（３）式に代入すると、
γ＝（８×Ｄ２×Ｖ）／ｒ３      ……（６）式
となる。
【００５４】
したがって、結局のところ、溶融樹脂の粘度ηは、
η＝（ｒ４×Ｐ）／（３２×Ｌ×Ｄ２×Ｖ）      ……（７）式
によって、求められることになる。つまり、射出速度が一定であれば、射出圧力Ｐを実測すれば、一定に制御する射出速度の値やメカ寸法の値は既知であるので、実測射出圧力値に基づき樹脂粘度を算出することが可能となる。
【００５５】
本実施形態に係る樹脂粘度の計測手法は、このような知見に基づいて構成されたものであり、計測された樹脂粘度は、樹脂材料メーカの提示する値とほぼ同等の、精度のよい値が得られることが実験によって確認された。
【００５６】
図７に、射出ノズル２２に形成されたノズル孔の直径ｒ、射出ノズル２２のランド長Ｌ及びスクリュ２３の直径Ｄを図示する。なお、図７に記載の符号ＢＨ１〜ＢＨ４は、加熱シリンダ２１及び射出ノズル２２の外周に巻装されたバンドヒータを示している。
【００５７】
上述したように、射出速度一定の条件を満たせば、その間の射出圧力値を測定することによって、樹脂粘度を算出することができる。しかし、金型内に溶融樹脂を射出・充填すると、金型のキャビティ形状などにより射出圧力が変動することも考えられるし、超高速の射出を行う際には、射出速度が前記した粘度の算出条件を良好に満たす範囲から外れてしまうことも考えられる。そこで、本実施形態においては、樹脂粘度の計測を行う際には、射出ノズル２２を金型にタッチせず、かつ射出速度一定の条件でスクリュ２３の前進速度をフィードバック制御した状態で、樹脂粘度の測定を行うようにしている。
【００５８】
即ち、自動運転を行う前や自動運転を中断させた際に、逆流防止弁の交換時期判定モードへの切替が指示された場合には、例えば射出ストロークの５０％まで量産時の計量制御条件で計量を行わせ、計量完了後に、ノズルバック動作を行って射出速度一定の条件（但し、射出速度は５〜５０ｍｍ／ｓｅｃの範囲内を満たすものとする）でフリー射出を行わせる。そして、この際の射出圧力値を実測し、実測された射出圧力値に基づき樹脂粘度算出部６において樹脂粘度を算出する。算出された樹脂粘度は、前記表示装置１２上に適宜の形態で表示されると共に、計測樹脂粘度記憶部７に記憶する。このとき、必要に応じて、樹脂材料名、樹脂材料製造メーカ名、樹脂材料品種番号、ロット番号などの入力装置１１からのオペレータによる入力情報や、樹脂粘度計測時におけるバンドヒータＢＨ１〜ＢＨ４の設定温度条件や、計測日時等々も、計測樹脂粘度データと併せて、計測樹脂粘度記憶部７に記憶する。もし、表示された樹脂粘度が所望値から外れていた場合には（例えば、樹脂材料メーカの推奨値から外れていた場合には）、オペレータはバンドヒータＢＨ１〜ＢＨ４の設定温度を変更して、樹脂粘度が所望範囲に収まるようにバンドヒータＢＨ１〜ＢＨ４による加熱条件を変更する。このとき、予めケーススタディして求めておいた樹脂粘度と各バンドヒータの設定温度との関係データが、計測樹脂粘度記憶部７やシステムコントローラ１が管理する適宜のデータベースに格納されている場合には、樹脂粘度を変更するための各部のバンドヒータ温度を表示させて、各バンドヒータＢＨ１〜ＢＨ４の設定温度の変更を促すようにすることも可能である。図８は、原料樹脂としてＰＰＳ（ポリフェニレンサルファイド）樹脂を用い、射出速度を１０ｍｍ／ｓｅｃに設定して射出を行った際の、各バンドヒータＢＨ１〜ＢＨ４の設定温度と樹脂粘度との関係を示すテーブルである。このようなテーブルが予め用意されていれば、上記したような樹脂粘度を変更・補正するための各部のバンドヒータ温度を表示させることが可能となる。
【００５９】
このように量産運転を行う際に射出成形機で樹脂粘度を測定するようにすると、射出成形機自体で、その場で、即座に、かつ、量産時と同様の計量条件で、樹脂粘度の測定を精度よく行うことができ、非常に利便性の高いものとなる。これに対し、従来のように専用計測器を用いて樹脂粘度の測定を行うと、時間と手間がかかり、また、量産時とは異なる可塑化条件となる可能性もあって、量産時の樹脂粘度とは異なるデータとなる虞もあった。さらにまた、量産運転を行う際に射出成形機で樹脂粘度を測定するようになすと、各バンドヒータの設定温度の変更も、設定温度指示のガイダンス表示によって、簡単・容易に行わせることも可能となる。
【００６０】
なお、計量工程の完了時に加熱シリンダ２１の先端部に貯えられる溶融樹脂の粘度は、成形運転とは関係なく、単独で計測することもできる。この場合にも、自動運転を行う前や自動運転を中断させた際の樹脂粘度の計測と同様に、例えば射出ストロークの５０％まで、その樹脂材料に応じて設定される量産時と同等の計量制御条件で計量を行わせ、計量完了後に、射出速度一定の条件（ただし、射出速度は５〜５０ｍｍ／ｓｅｃの範囲内を満たすものとする）でフリー射出を行わせ、この際の射出圧力値を実測して、これに基づき樹脂粘度を算出する。このとき、任意の複数回数だけ計量と射出を繰り返して、各射出において計測した樹脂粘度とこれを統計演算した結果とを表示すると共に、記憶する。記憶するに際しては、必要に応じて、樹脂材料名、樹脂材料製造メーカ名、樹脂材料品種番号、ロット番号などの入力装置２からのオペレータによる入力情報や、樹脂粘度計測時におけるバンドヒータの設定温度条件や計測日時等も、併せて記憶する。
【００６１】
このように、成形運転とは関係なく、単に樹脂の粘度を知りたい場合には、同一メーカ・同一樹脂材料のロット毎の樹脂粘度の比較や、同一樹脂材料であるも異なるメーカの樹脂粘度の比較などを、容易に行うことが可能となる。また、同一樹脂材料であるも保管状態が異なり、乾燥の度合いが違うと考えられる樹脂同士の粘度の比較も行えるので、樹脂材料の乾燥状況の把握も可能となる。さらにまた、この場合にも、量産時と同様の計量条件で、樹脂粘度の測定を精度よく行うことができ、かつ、従来のように専用計測器を用意する必要もなくなる。
【００６２】
また、樹脂替えを行う際に逆流防止弁の交換時期判定モードへの切替が指示された場合には、樹脂Ａから樹脂Ｂへの樹脂替えを行う自動パージング動作を実行させておいて、この際各フリー射出の樹脂粘度を計測・監視し、予め記憶させておいた樹脂Ｂの粘度が計測されると、樹脂替え完了とみなして、自動パージング動作を自動的に停止させるようにすることができる。
【００６３】
このようにすると、従来、オペレータが射出成形機に付きっきりで、目視により樹脂替え完了を確認していた場合に比べて、オペレータにかかる負担がなくなり、また、樹脂替え完了を正確に判定できるので、樹脂替え時の樹脂量の低減を図ることも可能となる。
【００６４】
上述の実施形態に係る射出成形機は、オペレータの指示に応じて又は所定のタイミングで自動的に、加熱シリンダ２１内に貯えられた溶融樹脂の粘度測定と、スクリュ２３の前進速度の測定とを行って、逆流防止弁が交換時期に至っているか否かの判定を行うので、溶融樹脂の粘度に関わりなく、逆流防止弁２４が交換時期に至っているか否かの判定を適切に行うことができる。
【００６５】
なお、上述の実施形態においては、判定テーブルに溶融樹脂の粘度と射出速度の限界値とを記憶したが、溶融樹脂の粘度に代えて、樹脂材料名を記憶することもできる。かかる構成によると、オペレータが直感的に樹脂粘度及び射出速度の限界値を認識しやすいので、逆流防止弁２４の交換時期の判定をより円滑に行うことができる。
【符号の説明】
【００６６】
１  システムコントローラ
２  運転条件設定格納部
３  測定値格納部
４  運転プロセス制御部
５  バックフロー判定部
６  樹脂粘度算出部
７  計測樹脂粘度記憶部
８  表示処理部
１１  入力装置
１２  表示装置
１２ａ  表示画面
１３  センサ群
１４  ドライバ群
２１  加熱シリンダ
２２  射出ノズル
２３  スクリュ
２４  逆流防止弁
３１  計量用サーボモータ
３２  タイミングベルト
３４  射出用サーボモータ
３５  タイミングベルト
３６  回転→直線運動変換メカニズム
３７  エンコーダ
３８  ロードセル
３９  エンコーダ
４１  スクリュ回転数フィードバック制御部
４２  速度フィードバック制御部
４３  圧力フィードバック制御部
４４  スイッチ部
ＢＨ１〜ＢＨ４  バンドヒータ
【図１】
2015033793.tif 000003
【図２】
2015033793.tif 000004
【図３】
2015033793.tif 000005
【図４】
2015033793.tif 000006
【図５】
2015033793.tif 000007
【図６】
2015033793.tif 000008
【図７】
2015033793.tif 000009
【図８】
2015033793.tif 000010
【図９】
2015033793.tif 000011